(57)【特許請求の範囲】
【請求項１】
取付板に設置される照明装置であって、
面発光体と、
前記面発光体を収納し、前記取付板と対向する面側に延設された少なくとも１つの摺動溝を備える筐体と、
前記摺動溝に沿って摺動可能な係止部、前記係止部に接続するとともに前記係止部から前記取付板に向かって延設された支柱部を含む複数の支持体と、
前記摺動溝の延設方向に交差する方向に沿って前記取付板に設置されるとともに、前記支柱部を移動自在に支持する少なくとも１つの支持レールと、を有することを特徴とする照明装置。
【請求項２】
取付板に設置される照明装置であって、
面発光体と、
前記面発光体を収納し、前記取付板と対向する面側に延設された少なくとも１つの摺動溝を備える筐体と、
前記摺動溝に沿って摺動可能な係止部、前記係止部に接続するとともに前記係止部から前記取付板に向かって延設された支柱部を含む複数の支持体と、を有し、
前記筐体は、前記摺動溝の延設面と同一面において、前記摺動溝と交差して延設された少なくとも１つの交差溝を備え、
前記係止部は前記交差溝に沿って摺動可能であることを特徴とする照明装置。
【請求項３】
前記支柱部の少なくとも１つは、前記面発光体に電力を供給するための電力供給路を構成する導電性部材を少なくとも一部に含むことを特徴とする請求項１又は２に記載の照明装置。
【請求項４】
前記支持レールの少なくとも１つは、前記支柱部の前記導電性部材に電力を供給するための前記電力供給路を構成する導電性部材を少なくとも一部に含むことを特徴とする請求項１に記載の照明装置。
【請求項５】
取付板に設置される照明装置であって、
面発光体と、
前記面発光体を収納し、前記取付板と対向する面側に延設された少なくとも１つの摺動溝を備える筐体と、
前記摺動溝に沿って摺動可能な係止部、前記係止部に接続するとともに前記係止部から前記取付板に向かって延設された支柱部を含む複数の支持体と、
前記摺動溝の延設方向に交差する方向に沿って前記取付板に設置されるとともに、前記支柱部を移動自在に支持する少なくとも１つの支持レールと、を有し、
前記摺動溝は、前記筐体の前記取付板と対向する面を貫通し、前記係止部は前記摺動溝において前記筐体を自在に挟持する１対の挟持片を備え、
前記１対の挟持片は、前記筐体を支持する第１挟持片と、前記第１挟持片に対して前記支持体の軸線方向に移動自在である第２挟持片とからなり、
前記第１挟持片と前記筐体との界面における摩擦係数が、前記第２挟持片と前記筐体との界面における摩擦係数よりも小さいことを特徴とする照明装置。
【請求項６】
取付板に設置される照明装置であって、
面発光体と、
前記面発光体を収納し、前記取付板と対向する面側に延設された少なくとも１つの摺動溝を備える筐体と、
前記摺動溝に沿って摺動可能な係止部、前記係止部に接続するとともに前記係止部から前記取付板に向かって延設された支柱部を含む複数の支持体と、を有し、
前記摺動溝は、前記筐体の前記取付板と対向する面を貫通し、前記係止部は前記摺動溝において前記筐体を自在に挟持する１対の挟持片を備え、
前記１対の挟持片は、前記筐体を支持する第１挟持片と、前記第１挟持片に対して前記支持体の軸線方向に移動自在である第２挟持片とからなり、
前記筐体は、前記摺動溝の延設面と同一面において、前記摺動溝と交差して延設された少なくとも１つの交差溝を備え、
前記係止部は、前記交差溝に沿って摺動可能であり、
前記第１挟持片と前記筐体との界面における摩擦係数が、前記第２挟持片と前記筐体との界面における摩擦係数よりも小さいことを特徴とする照明装置。
【請求項７】
前記第１挟持片と前記筐体との界面における摩擦係数は０．７以下であり、前記第２挟持片と前記筐体との界面における摩擦係数は１．５以上であることを特徴とする請求項５又は６に記載の照明装置。
【請求項８】
取付板に設置される照明装置であって、
面発光体と、
前記面発光体を収納し、前記取付板と対向する面側に延設された少なくとも１つの摺動溝を備える筐体と、
前記摺動溝に沿って摺動可能な係止部、前記係止部に接続するとともに前記係止部から前記取付板に向かって延設された支柱部を含む複数の支持体と、
前記摺動溝の延設方向に交差する方向に沿って前記取付板に設置されるとともに、前記支柱部を移動自在に支持する少なくとも１つの支持レールと、を有し、
前記摺動溝は、前記筐体の前記取付板と対向する面を貫通し、前記係止部は前記摺動溝において前記筐体を自在に挟持する１対の挟持片を備え、
前記１対の挟持片は、前記筐体を支持する第１挟持片と、前記第１挟持片に対して前記支持体の軸線方向に移動自在である第２挟持片とからなり、
前記支持体は、前記第２挟持片を前記第１挟持片に向けて付勢する付勢手段を含むことを特徴とする照明装置。
【請求項９】
取付板に設置される照明装置であって、
面発光体と、
前記面発光体を収納し、前記取付板と対向する面側に延設された少なくとも１つの摺動溝を備える筐体と、
前記摺動溝に沿って摺動可能な係止部、前記係止部に接続するとともに前記係止部から前記取付板に向かって延設された支柱部を含む複数の支持体と、を有し、
前記摺動溝は、前記筐体の前記取付板と対向する面を貫通し、前記係止部は前記摺動溝において前記筐体を自在に挟持する１対の挟持片を備え、
前記１対の挟持片は、前記筐体を支持する第１挟持片と、前記第１挟持片に対して前記支持体の軸線方向に移動自在である第２挟持片とからなり、
前記筐体は、前記摺動溝の延設面と同一面において、前記摺動溝と交差して延設された少なくとも１つの交差溝を備え、
前記係止部は、前記交差溝に沿って摺動可能であり、
前記支持体は、前記第２挟持片を前記第１挟持片に向けて付勢する付勢手段を含むことを特徴とする照明装置。
【請求項１０】
前記支持体は、前記第１挟持片と前記第２挟持片とによる前記筐体の付勢を解除する付勢解除手段を含むことを特徴とする請求項８又は９に記載の照明装置。
【請求項１１】
前記摺動溝は、前記筐体の前記取付板と対向する面側における中央部から、前記摺動溝が延在する方向に対して直交する方向に２８％の領域内に延設されていることを特徴とする請求項１乃至１０のいずれか１に記載の照明装置。
【請求項１２】
前記面発光体は、有機エレクトロルミネッセンス発光体であることを特徴とする請求項１乃至１１のいずれか１に記載の照明装置。
【発明の詳細な説明】
【技術分野】
【０００１】
本発明は、天井等の取付板に取付可能な照明装置、及びこれに用いられる照明装置取付構造に関する。
【背景技術】
【０００２】
照明装置に関する技術研究は盛んに行われていることから、照明装置に関する技術の進歩はすさまじく、新たな発光方法等の新方式、及び照明装置自体の新たな形態等が次々に生み出されている。
【０００３】
例えば、従来においては発光装置の光源として白熱電球や蛍光灯が主流となっていたが、近年においては、次世代照明として、有機エレクトロルミネッセンス（有機ＥＬ（Ｅｌｅｃｔｒｏ Ｌｕｍｉｎｅｓｃｅｎｃｅ）、ＯＥＬ：Ｏｒｇａｎｉｃ Ｅｌｅｃｔｒｏ Ｌｕｍｉｎｅｓｃｅｎｃｅ）を用いる技術が盛んに研究され、製品化が進められている。このような有機ＥＬ技術を用いた照明装置においては、発光色を自在に可変することができるものや、その厚さが数ｍｍ程度の薄型タイプのものが開発されている。
【０００４】
従来の照明装置においては、蛍光灯のような大型且つ質量の大きい発光素子が使用され、更には安定回路や電力制御回路を搭載していることから、照明装置自体が大型化され、照明装置の質量が大きくなっていた。このため、従来の照明装置を天井や壁等の取付板に取り付けるためには、該照明装置を支持するための頑丈且つ強固な取付器具を照明装置に設ける必要があった。すなわち、該照明装置は、自身を該取付板に取り付けるための頑丈且つ強固な取付構造を備えている必要があった。
【０００５】
しかしながら、このような頑丈且つ強固な取付構造を実現するためには、照明装置を取付板に取り付けるための工法が複雑となるため、照明装置の取付位置が制限されるという問題があった。
【０００６】
照明装置を取付板に取り付けるための取付構造には、従来から様々な形状及び方式が用いられてきた。例えば、特許文献１においては、給電線又は給電パイプを天井に取り付けられる低電圧方式が開示されている。該方式では、感電防止の概念から１２Ｖ或いは２４Ｖという低電圧が用いられる。該方式においては、天井への給電線又は給電レールの取付強度が小さいため、複数の照明装置を取り付けることができない。また、供給できる電圧が低いため、複数の照明装置を同時に使用することができない。
【０００７】
特許文献２においては、給電構造を有する取付器具であるライティングダクトが開示されている。特許文献２のライティングダクトにおいては、外周部分に用いられた絶縁体等によって比較的に高い商用電圧を印加することができる。しかしながら、該ライティングダクトは、直下の一定の位置のみにしか照明装置を取り付けることができないという問題があった。
【先行技術文献】
【特許文献】
【０００８】
【特許文献１】米国特許第４８２１１６２号明細書
【特許文献２】特開２００５−３４６９６１号公報
【発明の概要】
【発明が解決しようとする課題】
【０００９】
上述したような特許文献１及び特許文献２における問題は、上述した有機ＥＬ発光体のような面発光体を用いた照明装置においても解決すべき共通した課題である。特に、面発光体を用いた照明装置の分野においては、その小型化された寸法を生かすために、複数の照明装置を同一のライティングダクトに取り付け、個々の照明装置の取付位置及び取付方向を容易に変更できることが要求されている。
【００１０】
本発明はこのような課題に鑑みてなされたものであり、その目的とするところは、面発光体を備えるとともに、天井板等の取付板に容易に取り付けることができ、且つ取付位置及び取付方向を容易に変更することができる照明装置、及びこれに用いられる照明装置取付構造を提供することにある。
【課題を解決するための手段】
【００１１】
上記目的を達成するため、本発明の照明装置は、取付板に設置される照明装置であって、面発光体と、前記面発光体を収納し、前記取付板と対向する面側に延設された少なくとも１つの摺動溝を備える筐体と、前記摺動溝に沿って摺動可能な係止部、前記係止部に接続するとともに前記係止部から前記取付板に向かって延設された支柱部を含む複数の支持体と、を有することを特徴とする。
【００１２】
上述した照明装置において、前記複数の支持体のそれぞれは、前記面発光体の発光面に交差する方向において、前記取付板に対する前記面発光体の位置を調整する位置調整部を有していることが好ましい。
【００１３】
上述した照明装置において、前記摺動溝は前記筐体の前記取付板と対向する面を貫通し、前記係止部は前記摺動溝において前記筐体を自在に挟持する１対の挟持片を備えていることが好ましい。
【００１４】
上記１対の挟持片を備える場合、上述した照明装置において、前記１対の挟持片は、前記筐体を支持する第１挟持片と、前記第１挟持片に対して前記支持体の軸線方向に移動自在である第２挟持片と、から構成されていることが好ましい。
【００１５】
上述した照明装置において、前記摺動溝の延設方向に交差する方向に沿って前記取付板に設置されるとともに、前記支柱部を移動自在に支持する支持レールを少なくとも１つ更に備えていることが好ましい。
【００１６】
また、上記支持レールを備えない場合、上述した照明装置において、前記筐体は、前記摺動溝の延設面と同一面において、前記摺動溝と交差して延設された少なくとも１つの交差溝を備え、前記係止部は前記交差溝に沿って摺動可能であることが好ましい。
【００１７】
上述した照明装置において、前記支柱部の少なくとも１つは、前記面発光体に電力を供給するための電力供給路を構成する導電性部材を少なくとも一部に含んでいることが好ましい。
【００１８】
上記支持レールを備える照明装置のいずれかにおいて、前記支持レールの少なくとも１つは、前記支柱部の前記導電性部材に電力を供給するための前記電力供給路を構成する導電性部材を少なくとも一部に含んでいることが好ましい。
【００１９】
上述した第１挟持片及び第２挟持片を備える照明装置において、前記第１挟持片と前記筐体との界面における摩擦係数が、前記第２挟持片と前記筐体との界面における摩擦係数よりも小さくすることが好ましい。
【００２０】
このような場合、前記第１挟持片と前記筐体との界面における摩擦係数は０．７以下であり、前記第２挟持片と前記筐体との界面における摩擦係数は１．５以上であることが更に好ましい。
【００２１】
上述した第１挟持片及び第２挟持片を備える照明装置において、前記支持体は、前記第２挟持片を前記第１挟持片に向けて付勢する付勢手段を含んでいることが好ましい。そして、前記支持体は、前記第１挟持片と前記第２挟持片とによる前記筐体の付勢を解除する付勢解除手段を含んでいることが更に好ましい。
【００２２】
上述した一対の挟持片を備える照明装置において、前記摺動溝は、前記筐体の前記取付板と対向する面側における中央部から、前記摺動溝が延在する方向に対して直交する方向に２８％の領域内に延設されることが好ましい。
【００２３】
上述した照明装置において、前記面発光体は、有機エレクトロルミネッセンス発光体であることが好ましい。
【００２４】
上記目的を達成するため、本発明の照明装置取付構造は、面発光体を備える照明装置を取付板に設置するための照明装置取付構造あって、前記面発光体を収納し、前記取付板と対向する面側に延設された少なくとも１つの摺動溝を備える筐体と、前記摺動溝に沿って摺動可能な係止部、前記係止部に接続するとともに前記係止部から前記取付板に向かって延設された支柱部を含む複数の支持体と、からなることを特徴とする。
【発明の効果】
【００２５】
上述した構成を有することにより、本発明である照明装置及び照明装置取付構造においては、面発光体を備えるとともに、照明装置を天井板等の取付板に容易に取り付けることができ、且つ取付位置及び取付方向を容易に変更することができる。
【００２６】
本発明である照明装置が、面発光体の発光面に交差する方向において、取付板に対する面発光体の位置を調整する位置調整部を更に有する場合には、面発光体から取付板までの距離を容易に変えることができる。
【００２７】
本発明である照明装置が、取付板に備えられるとともに支柱部を移動自在に支持する支持レールを備える場合には、照明装置の位置を取付板の一方向である支持レールの延設方向に沿って容易に変えることができる。
【００２８】
本発明である照明装置の筐体が摺動溝の延設面と同一面において該摺動溝と交差して延設された少なくとも１つの交差溝を備え、係止部が交差溝に沿って摺動可能である場合には、照明装置の位置を取付板の取付面内において摺動範囲内で自在に変えることができる。
【００２９】
本発明である照明装置を構成する支柱部が面発光体に電力を供給するための電力供給路を有する場合には、面発光体に電力を供給するための構造を別途設ける必要がなくなるとともに、電力供給路を構成する配線が目視されることがなくなり、照明装置の小型化及びデザイン性の向上を図ることができる。
【００３０】
本発明である照明装置を構成する支持レールが面発光体に電力を供給するための電力供給路を有する場合には、面発光体に電力を供給するための構造を別途設ける必要がなくなるとともに、電力供給路を構成する配線が目視されることがなくなり、照明装置の小型化及びデザイン性の向上を図ることができる。
【００３１】
本発明である照明装置を構成する係止部が一対の挟持片から構成される場合、筐体を支持する第１挟持片と筐体との界面における摩擦係数を、係止部の他方の第２挟持片と筐体との界面における摩擦係数よりも小さくすることにより、第１挟持片及び第２挟持片による筐体の担持を解除した後に、第１挟持片を摺動溝に沿って容易に摺動させることができる。すなわち、このような構成により、筐体の移動を容易に行うことができる。
【００３２】
本発明である照明装置を構成する係止部が一対の挟持片から構成される場合に、本発明である照明装置の支持体が一対の挟持片の一方を他方の挟持片に向かって付勢する付勢手段を更に含むことにより、一対の挟持片による筐体の挟持をより強固に行うことができる。
【００３３】
上述した付勢手段を支持体が更に含む場合に、本発明である照明装置の支持体が付勢力を解除する付勢解除手段を更に含むことにより、一対の挟持片による筐体の挟持を容易に解除することができ、更に筐体の移動を容易に行えることになる。
【００３４】
本発明である照明装置を構成する係止部が一対の挟持片から構成される場合に、摺動溝は該筐体の支持面側における中央部から、前記摺動溝が延在する方向に対して直交する方向に２８％の領域内に延設されることにより、取付板に沿った面において筐体を容易に回転させることができる。
【図面の簡単な説明】
【００３５】
【図１】本発明に係る照明装置の概略構成を示す斜視図である。
【図２】本発明に係る照明装置のＸＺ面における平面図である。
【図３】本発明に係る照明装置のＹＺ面における平面図である。
【図４】本発明に係る照明装置の照明本体のＸＹ面における平面図である。
【図５】図２における線Ｖ−Ｖに沿った断面図である。
【図６】図５における位置調整部の拡大図である。
【図７】図３における線ＶＩＩ−ＶＩＩに沿った断面図である。
【図８】図５における係止部の拡大図である。
【図９】本発明の照明装置の支持体において磁極を発生させた状態を図８と同様にして示した断面図である。
【図１０】１対の支持レール（ライティングダクト）に２つの照明本体が支持体を介して取り付けられている状態を示すＸＹ面における平面図である。
【図１１】１対の支持レール（ライティングダクト）に２つの照明本体が支持体を介して取り付けられている他の状態を示すＸＹ面における平面図である。
【図１２】１対の支持レール（ライティングダクト）に２つの照明本体が支持体を介して取り付けられている他の状態を示すＸＺ面における平面図である。
【図１３】ボールベアリングによって第１支柱部が支持された状態を図５と同様にして示した断面図である。
【図１４】本発明に係る照明装置の筐体の変形例を図７と同様にして示した断面図である。
【発明を実施するための形態】
【００３６】
以下、図面を参照し、本発明の実施の形態について、実施例及び変形例に基づき詳細に説明する。なお、本発明は以下に説明する内容に限定されるものではなく、その要旨を変更しない範囲において任意に変更して実施することが可能である。また、各実施例の説明に用いる図面は、いずれも本発明による照明装置及び照明装置取付構造を模式的に示すものであって、理解を深めるべく部分的な強調、拡大、縮小、または省略などを行っており、各構成部材の縮尺や形状等を正確に表すものとはなっていない場合がある。更に、各実施例で用いる様々な数値は、いずれも一例を示すものであり、必要に応じて様々に変更することが可能である。
【実施例】
【００３７】
（照明装置の全体構成）
図１は、本実施例に係る照明装置１の概略構成を示す斜視図である。図１に示すように、本実施例に係る照明装置１は、取付板である天井板２に設置されている。より具体的には、天井板２に１対のライティングダクト３が設置され、各ライティングダクト３から鉛直下方に向かって２つの支持体４が延設され、４つの支持体４によって照明本体５が支持されている。
【００３８】
１対のライティングダクト３は、天井板２に対して並置され、所定方向に向かって延設されている。４つの支持体４は、ライティングダクト３に着脱自在に取付けられている。また、４つの支持体４は、ライティングダクト３の延設方向に移動自在に取付けられている。すなわち、ライティングダクト３は、支持体４の位置を該延設方向に沿って自在に変化できるように、支持体４を支持する支持レールとして機能する。
【００３９】
照明本体５は、その平面形状が矩形状であり、全体として薄型の面発光源を構成している。また、照明本体５は、天井板２に対して相対的に位置を変化できるように、支持体４によって支持されている。なお、本実施例においては、支持体４及び照明本体５は、複数の部材から構成されているが、詳細な構成は後述する。また、天井板２に対する照明本体５の移動方向については、照明本体５を移動可能にするための構造を説明する際に詳細に説明する。
【００４０】
以下において、ライティングダクト３の延設方向をＸ方向とし、ライティングダクト３が設置された天井板２の天井面においてＸ方向と直交する方向をＹ方向とし、該天井面に直交する方向（すなわち、鉛直方向）をＺ方向とする。
【００４１】
なお、本実施例においては、照明装置１を天井板２に取付た場合を説明しているが、壁板等の様々な板を取付板として、本発明の照明装置を取付ることができる。
【００４２】
（各部の構成）
図２は本実施例に係る照明装置１のＸＺ面における平面図であり、図３は本実施例に係る照明装置１のＹＺ面における平面図である。図４は、図３の実施例に係る照明装置１を構成する照明本体５のＸＹ面における平面図である。図５は図２における線Ｖ−Ｖに沿った断面図である。図６は、図５における位置調整部付近の拡大図である。図７は、図３における線ＶＩＩ−ＶＩＩに沿った断面図である。図８は、図５における係止部付近の拡大図である。
【００４３】
〔ライティングダクト〕
図２、図３及び図５に示すように、ライティングダクト３は、天井板２の天井面に沿って所定方向に延びるように延設されている。なお、本実施例においては、ライティングダクト３は、ネジ等の固着部材（図示せず）によって天井板３に固定されている。所定方向とは、家屋内において照明本体５を移動させたい方向であって、例えば、家屋内の部屋の壁に沿って延設されたり、該部屋の天井板の２つの角を対角線上に結ぶように延設されてもよい。
【００４４】
図５に示すように、ライティングダクト３は、天井板２と接する面とは逆側の面に溝を有し、ライティングダクト３の延設方向をよぎる面（ＹＺ面）における断面形状は略コ字状である。そして、支持体４の一部であって後述するプラグ２１が、ライティングダクト３の延設方向に移動自在となるように、該溝に嵌挿されている。
【００４５】
図示していないが、ライティングダクト３は、商業用電源に接続されており、該商業用電源から供給される電力を照明装置５のための電源回路に供給するための第１供給路（電力供給路）を有している。すなわち、ライティングダクト３は、第１供給路を構成する導電性部材を少なくとも一部に備えていることになる。該第１供給路はライティングダクト３の内部に（例えば、溝の側部に沿って）設けられており、後述するプラグ２１が嵌挿されると、該第１供給路を介して該プラグに電力が供給されることになる。また、ライティングダクト３は、後述する電磁石に所望の電流を供給するための２つの第２供給路も有している。
【００４６】
なお、本実施例においては、２つのライティングダクト３が天井板２に設けられていたが、該数量に限定されることなく、天井板２に設けられるライティングダクト３の数は、１つであってもよく、又は３つ以上であってもよい。また、ライティングダクト３を複数設ける場合には、全てのライティングダクトに第１供給路を形成してもよいが、いずれか１つのライティングダクトに第１供給路が形成されてもよく、上述した電源回路に供給する電力量等に応じて適宜設定することができる。
【００４７】
また、上述したような給電構造を有するようなライティングダクト３に代えて、単に支持体４を支持し且つその延設方向に支持体４を移動させることができる支持レールを用いてもよい。このような場合には、上述した電源回路に電力を供給するための他の供給路を設ける必要がある。
【００４８】
〔照明本体〕
図２、図３及び図５に示すように、本実施例においては、照明装置１の照明本体５は、筐体１２を備えている。また、図５に示すように筐体１２の内部には、面発光体である有機エレクトロルミネッセンス発光体（以下、有機ＥＬ発光体と称する）１１が収納されている。ここで、筐体１２は、有機ＥＬ発光体１１が固着され、有機ＥＬ発光体１１から放射される光を透過するガラス板１２ａ、有機ＥＬ発光体１１の周囲を覆う側板１２ｂ及び天板１２ｃから構成されている。なお、側板１２ｂと天板１２ｃは、別々に形成したものを接着剤等で接着することで一体化されてもよく、又は当初から一体的に形成されてもよい。
【００４９】
また、図４及び図５に示すように、照明本体５を構成する筐体１２の天板１２ｂには、２つの貫通孔１３が形成されている。すなわち、貫通孔１３は、筐体１２において天井板２と対向する面側に延設されている。ここで、貫通孔１３は、摺動溝として機能している。また、図４において、２つの貫通孔１３はＹ方向に延び、互いに並設されている。更に、図４においてＸ方向における貫通孔１３の位置は、Ｘ方向における中央部からＸ方向に２８％の範囲内の領域に設けられることが好ましい。すなわち、貫通孔１３は、貫通孔１３が延在する方向に対して直交する方向において、筐体１２の支持面側における中央部から、貫通孔１３が延在する方向（Ｙ方向）に対して直交する方向（Ｘ方向）に２８％の領域内に延設されていることが好ましい。かかる理由については、後述する。
【００５０】
〔支持体〕
図２、図３及び図５に示すように、照明装置１の各支持体４は、ライティングダクト３に着脱自在に取付けられているプラグ２１、一端側がプラグ２１に連結され、プラグ２１からＺ方向に沿って延設されている第１支柱部２２、第１支柱部２２の他端側に取付られている位置調整部２３、位置調整部２３から照明本体５までＺ方向に沿って延設されている第２支柱部２４、Ｚ方向における第２支柱部２４の所定位置において第２支柱部２４に環装され且つ固定されている第１固定リング２５、位置調整部２３とは反対側となる第２支柱部２４の端部に環装されるとともに照明本体５を係止している係止部２６、第１固定リング２５と係止部２６との間に圧縮状態で介装されたバネ２７、及び係止部２６のストッパとして機能し、第２支柱部２４に螺合された第２固定リング２８（図２、及び図３には示されていない）から構成されている。
【００５１】
なお、本実施例においては、上述した摺動溝として機能する貫通孔１３が形成された筐体１２と、上述した支持体４とから照明装置取付構造が構成されている。
【００５２】
図５に示すように、プラグ２１の一部はライティングダクト３内に向かって突出し、該突出した部分がライティングダクト３に嵌挿されている。該突出した部分がライティングダクト３の溝を摺動することにより、プラグ２１はライティングダクト３に沿って（すなわち、Ｙ方向に）移動することが可能になる。
【００５３】
また、図示していないが、本実施例においては、プラグ２１も、所望の電力を上述した電源回路に供給するために用いられる第１供給路（電力供給路）を構成する導電性部材を有しており、該導電性部材とライティングダクト３の第１供給路を構成する導電性部材とが常に接触するように構成されている。このため、ライティングダクト３のいずれの位置においても、プラグ２１には、ライティングダクト３の第１供給路から電力が供給されることになる。また、プラグ２１は、ライティングダクト３と同様に、後述する電磁石に所望の電流を供給するための２つの第２供給路も有している。なお、第１供給路が設けられていないライティングダクト３に取り付けられたプラグ２１には、必ずしも第１供給路を構成する導電性部材を設ける必要はない。
【００５４】
なお、ライティングダクト３とプラグ２１との間の上述したような給電構造、及びライティングダクト３に対するプラグ２１の摺動構造は、従来から用いられているものと同様であり、ここでは詳細な説明を省略する。
【００５５】
図５に示すように、第１支柱部２２の一端側はプラグ２１に接続され、他端側は位置調整部２３に接続されている。すなわち、第１支柱部２２は、Ｚ方向に沿ってプラグ２１から位置調整部２３まで延設されている。また、第１支柱部２２の一端側は、プラグ２１に対して固定されており、プラグ２１から抜け落ちることがないように接続されている。一方、図６に示すように、第１支柱部２２の他端側外周部には螺旋状の溝が形成されており、第１支柱部２２の他端側は位置調整部２３に螺合している。すなわち、第１支柱部２２の他端側は、雄ねじを形成している。第１支柱部２２は、このような構造を有するため、金属等の比較的に硬い材料から構成されることが好ましい。なお、該雄ねじを構成する部分以外を絶縁体等で被覆してもよく、該雄ねじを構成する部分を金属で形成して他の部分を絶縁体で形成してもよい。
【００５６】
また、図６に示すように、第１支柱部２２の内部には貫通孔２２ａが設けられ、第１支柱部２２は中空構造を有している。該貫通孔２２ａに３つの配線（第１配線２９、第２配線３０、及び第３配線３１）が設けられている。第１配線２９は、上述したプラグ２１の第１供給路に接続され、第２配線３０及び第３配線３１は、上述したプラグ２１の第２供給路に接続されている。なお、第１配線２９、第２配線３０、及び第３配線３１は、絶縁体（図示せず）で被覆されている。これは、第１支柱部２２が金属等の導体で形成されている場合に、該第１支柱部２２を介して漏電することを防止するためである。また、第１供給路が設けられていないライティングダクト３に取り付けられた支持体４（第１支柱部２２）には、第１配線２９を設ける必要はない。
【００５７】
位置調整部２３は、第１支柱部２２及び第２支柱部２４よりも直径が大きく、本発明に係る照明装置１の操作者がＺ方向を回転軸として位置調整部２３を容易に回動することができるような外形を有している。図１においては円柱状に形成されているが、これに限定されることはなく、例えば、Ｚ方向の中央部が膨らんでいてもよく、更には球体状であってもよい。また、位置調整部２３の外周に凹凸を形成して、操作者が容易に位置調整部２３を回転させることができるようにしてもよい。更に、位置調整部２３の外周面に位置調整部２３と同心の板状操作部材を設けてもよい。
【００５８】
図６に示すように、位置調整部２３の内部には、Ｚ方向に位置調整部２３を貫通するねじ孔２３ａが形成されている。そして、位置調整部２３の一端側には第１支柱部２２が螺合し、他端側には第２支柱部２４が螺合している。すなわち、位置調整部２３のねじ孔２３ａは雌ねじを形成している。なお、位置調整部２３も、第１支柱部２２と同様に、金属等の比較的に硬い材料から構成されることが好ましい。なお、金属等の導電体材料で位置調整部２３を形成した場合に、該金属を被覆する絶縁体を設けてもよい。これにより、万一何らかの原因で漏電等が発生した場合であっても、照明装置１を操作する者が感電することを防止することができる。
【００５９】
また、第１支柱部２２を貫通して延設されている第１配線２９、第２配線３０及び第３配線３１は、ねじ孔２３ａ内をＺ方向に沿って延設され、第２支柱部２４に到達している。
【００６０】
図６に示すように、第２支柱部２４の一端側外周部には螺旋状の溝が形成されており、第２支柱部２４の一端側は位置調整部２３に螺合している。すなわち、第２支柱部２４の一端側は、雄ねじを形成している。ここで、第２支柱部２４の雄ねじの向きは、第１支柱部２２の雄ねじの向きとは異なっている。本実施例においては、第２支柱部２４は左ネジを形成し、第１支柱部２２は右ネジを形成している。このような場合に、位置調整部２３を右周り（時計と反対回り）に回転させると、位置調整部２３に対して第１支柱部２２が位置調整部２３のねじ孔２３ａ内部に向かって進むように移動するが、第１支柱部２２の一端側はプラグ２１に固定されているため、実際には第１支柱部２２が移動するのではなく、位置調整部２３が天井板２に近づくように移動することになる。また、このとき位置調整部２３の右周り（時計と反対回り）の回転によって、第２支柱部２４が位置調整部２３のねじ孔２３ａ内部に向かって進むように移動する。すなわち、本実施例においては、位置調整部２３を右周りに回転させると、第２支柱部２４が天井板２に近づくように移動することになる。以上のことから、位置調整部２３を右周り（時計と反対回り）に回転させると、位置調整部２３及び第２支柱部２４が天井板２に近づくため、照明本体５を天井板２に対して近づける方向に移動させることができる。
【００６１】
一方、位置調整部２３を左周り（時計回り）に回転させると、位置調整部２３に対して第１支柱部２２が位置調整部２３のねじ孔２３ａ内部から離れるように移動するが、第１支柱部２２の一端側はプラグ２１に固定されているため、実際には第１支柱部２２が移動するのではなく、位置調整部２３が天井板２から離れるように移動することになる。また、このとき位置調整部２３の左周り（時計回り）の回転によって、第２支柱部２４が位置調整部２３のねじ孔２３ａ内部から離れるように移動する。すなわち、本実施例においては、位置調整部２３を左周りに回転させると、第２支柱部２４が天井板２から離れるように移動することになる。以上のことから、位置調整部２３を左周り（時計回り）に回転させると、位置調整部２３及び第２支柱部２４が天井板２から離れるため、照明本体５を天井板２に対して離間する方向に移動することができる。
【００６２】
このような構造に鑑みて、第２支柱部２４は、金属等の比較的に硬い材料から構成されることが好ましい。なお、第１支柱部２２と同様に、該雄ねじを構成する部分以外を絶縁体等で被覆してもよく、該雄ねじを構成する部分を金属で形成して他の部分を絶縁体で形成してもよい。
【００６３】
本実施例において、照明装置１は、上述した構造を有する第１支柱部２２、位置調整部２３及び第２支柱部２４を備える支持体４を４つ備えているため、支持体４ごとに位置調整部２３の回動量及び回動方向を調整することによって、照明本体５を天井板２に対して平行となるように調整することができる。また、支持体４ごとに位置調整部２３を回動させて、支持体４の各長さを変えることにより、照明本体５を天井板２に対して傾斜させることができる。すなわち、支持体４ごとに位置調整部２３を回動することによって、照明装置１の照明本体５の傾きである取付角度を自在に調整することができる。なお、本実施例においては、照明装置１は支持体４を４つ備えていたが、本発明の照明装置が有する支持体の数は、これに限定されない。すなわち、支持体は２つ以上あればよい。本発明の照明装置が有する支持体の数は、照明装置の強度、面発光体を収納する筐体の安定性、細かな位置調整のし易さの点では多い方が好ましいが、また、一方、装置構成が単純で低コストな点では少ない方が好ましい。
【００６４】
なお、本実施例においては、第２支柱部２４は左ネジを形成し、第１支柱部２２は右ネジを形成しているが、第２支柱部２４は右ネジを形成し、第１支柱部２２は左ネジを形成してもよい。このような場合には、位置調整部２３を右周り（時計と反対回り）に回転させると、位置調整部２３及び第２支柱部２４が天井板２から離れるため、照明本体５を天井板２に対して離間する方向に移動することができ、位置調整部２３を左周り（時計回り）に回転させると、位置調整部２３及び第２支柱部２４が天井板２に近づくため、照明本体５を天井板２に対して近づける方向に移動することができる。
【００６５】
図５及び図８に示すように、第２支柱部２４の他端側（位置調整部２３と螺合している端部とは逆側の端部）には、第２支柱部２４に環装された係止部２６、及び係止部２６のストッパとして機能し、第２支柱部２４に螺合された第２固定リング２８が取付られている。係止部２６は、一対の挟持片である第１挟持片２６ａ及び第２挟持片２６ｂから構成され、第１挟持片２６ａは照明本体５の後述する筐体内に配置され、第２挟持片２６ｂは該筐体１２に配置されている。
【００６６】
本実施例においては、第１挟持片２６ａ及び第２挟持片２６ｂは、第２支柱部２４のＺ方向（すなわち、軸線方向）に沿って移動自在に取付られているが、照明本体５を支持体４を介してライティングダクト３に取付た場合には、照明本体５、第１挟持片２６ａ及び第２挟持片２６ｂは、第２支柱部２４の他端側（位置調整部２３と螺合している端部とは逆側の端部）に位置することになり、第２支柱部２４の他端側には第２固定リング２８が螺合されているため、該第２固定リング２８がストッパとして機能することになり、照明本体５、第１挟持片２６ａ及び第２挟持片２６ｂは第２支柱部２４から外れることがない。
【００６７】
また、係止部２６のＸＹ面における直径は、図７（図３における線ＶＩＩ−ＶＩＩに沿った断面図）には第２狭持片２６ｂしか示されていないが、第１挟持片２６ａも第２挟持片２６ｂもどちらも貫通孔１３のＸ方向の幅よりも大きいため、第１挟持片２６ａは筐体１２の外部へ移動することはなく、第２挟持片２６ｂは筐体１２の内部へ移動することはない。更に、第１挟持片２６ａ及び第２挟持片２６ｂによって天板１２ｃが挟持され、照明本体５が第１挟持片２６ａによって支持されている。
【００６８】
更に、第１挟持片２６ａと天板１２ｃとの界面における摩擦係数は、第２挟持片２６ｂと天板１２ｃとの界面における摩擦係数よりも小さいことが好ましい。具体的には、第１挟持片２６ａと天板１２ｃとの界面における摩擦係数は０．７以下であり、第２挟持片２６ｂと天板１２ｃとの界面における摩擦係数は１．５以上であることが特に好ましい。かかる理由については、後述する。
【００６９】
図２、図３、図５及び図８に示すように、第２支柱部２４の所定の位置には、バネ２７を固定するための第１固定リング２５が設けられている。第１固定リング２５は、第２支柱部２４に溶接等によって固定されてもよく、又は第１固定リング２５の内側に螺旋状の溝を形成し、第２支柱部２４と螺合するようにしてもよい。また、バネ２７は、第２支柱部２４と同軸状に、第２支柱部２４の側面を囲むようにＺ方向に延設されている。バネ２７の一端側は、第１固定リング２５に固着されているため、バネ２７は鉛直下方に向かって伸びている。
【００７０】
ここで、第２支柱部２４に第１固定リング２５が設けられる所定の位置とは、第１固定リング２５の装着により、バネ２７が圧縮された状態で第１固定リング２５と第２挟持片２６ｂとの間に介装され、バネ２７の他端側（バネ２７の第１固定リング２５が固着されている反対側）が第２挟持片２６ｂに接触することによって、バネ２７が第２挟持片２６ｂを第１挟持片２６ａに向かって付勢することができる位置である。ここで、付勢とは、第２挟持片２６ｂを第１挟持片２６ａに向かって近づくように勢いを加えることである。従って、本実施例においては、バネ２７が付勢手段として機能する。なお、付勢力を大きくするために、第１固定リング２５と第２挟持片２６ｂはできる限り近づけるほうがよいが、後述するように、バネの付勢力とは逆側に力を加えて第２挟持片２６ｂを第１固定リング２５に近づけるように移動させることもあるため、該移動時に加えられる力も考慮して、第１固定リング２５の位置を決定することが好ましい。なお、第１固定リング２５の位置を調整せずに、バネ２７の長さを調整することによって、該付勢力及び第２挟持片２６ｂの第１固定リング２５に向けた移動を可能にしてもよい。
【００７１】
また、図示されていなが、第１固定リング２５及び第２挟持片２６ｂの内部にはコイルが巻かれており、第１固定リング２５及び第２挟持片２６ｂは電磁石としても機能する。本実施例においては、第１固定リング２５及び第２挟持片２６ｂの内部に設けられたコイルの巻線方向が相違している。
【００７２】
図５及び図６に示すように、第２支柱部２４の内部には貫通孔２４ａが設けられ、第１支柱部２４は中空構造を有している。また、該貫通孔２４ａ内には、図６に示すように、３つの配線（第１配線２９、第２配線３０、及び第３配線３１）が設けられている。すなわち、第１支柱部２２の貫通孔を経由して位置調整部２３に到達する第１配線２９、第２配線３０、及び第３配線３１は、更に第２支柱部２４の貫通孔に沿って延設されている。なお、第１配線２９、第２配線３０、及び第３配線３１は、絶縁体（図示せず）で被覆されている。これは、第２支柱部２４が金属等の導体で形成されている場合に、該第２支柱部２４を介して漏電することを防止するためである。
【００７３】
また、図８に示すように、第１配線２９は、第２支柱部２４に沿って延設され、第１挟持片２６ａにまで到達している。第１配線２９は、第１挟持片２６ａに設けられた接続端子に接続され、該接続端子に接続した内部配線が有機ＥＬ発光体１１用の電源回路に接続されている。そして、該電源回路が有機ＥＬ発光体１１の一方の電極（例えば、陽極）に接続され、外部の商業用電源から供給される電力を変換し、変換後の所望の電力を有機ＥＬ発光体１１に供給する。なお、有機ＥＬ発光体１１の他の電極（例えば、陰極）は接地（グランド電位に接続）されている。また、上述した電磁石として機能する第１固定リング２５及び第２挟持片２６ｂに該電源回路から電流を供給するようにしてもよい。この場合には、ライティングダクト３から第１固定リング２５及び第２挟持片２６ｂに配線（第２配線３０、第３配線３１）を設ける必要がなくなり、配線構造を簡素化することができる。
【００７４】
更に、第２配線３０は、図８に示すように、第２支柱部２４に沿って延設され、第２挟持片２６ｂにまで到達している。第２配線３０は、第２挟持片２６ｂの内部に設けられたコイルの一端側に接続されている。なお、コイルの他端側は、接地（グランド電位に接続）されている。このような配線構造により、第２配線３０、プラグ２１の第２供給路、及びライティングダクト３の第２供給路を介して第２挟持片２６ｂのコイルに電流を供給することができ、第２挟持片２６ｂを電磁石として機能させることができる。
【００７５】
そして、第３配線３１は、図８に示すように、第２支柱部２４に沿って延設され、第１固定リング２５にまで到達している。第３配線３１は、第１固定リング２５の内部に設けられたコイルの一端側に接続されている。なお、コイルの他端側は、接地（グランド電位に接続）されている。このような配線構造により、第３配線３１、プラグ２１の第２供給路、及びライティングダクト３の第２供給路を介して第１固定リング２５のコイルに電流を供給することができ、第１固定リング２５を電磁石として機能させることができる。
【００７６】
（係止部の摺動）
上述したように、本実施例においては、バネ２７が第２挟持片２６ｂを第１挟持片２６ａに向かって付勢しているため、第１固定リング２５及び第２挟持片２６ｂに磁極が発生していない場合には、第２挟持片２６ｂと天板１２ｃとの界面における比較的高い摩擦係数とあいまって、第１挟持片２６ａ及び第２挟持片２６ｂによって筐体１２の天板１２ｃが強固に挟持され、係止部２６を貫通孔（摺動溝）１３に沿って摺動させることができない。しかしながら、第１固定リング２５及び第２挟持片２６ｂは電磁石として機能するため、第１固定リング２５及び第２挟持片２６ｂに所望の磁極を発生させ、バネ２７の付勢力とは反対に向かう力（すなわち、付勢解除力）を加えることにより、第２挟持片２６ｂを筐体１２の天板１２ｃから離間させることができる。このような状態においては、筐体１２の天板１２ｃは第１挟持片２６ａによって支持されているだけであるため、第１挟持片２６ａが貫通孔１３に沿って摺動するように、筐体１２を移動させることができる。以下に、係止部２６を摺動させるまでの具体的な流れを図８及び図９を参照しつつ説明する。なお、図９は、第１固定リング２５及び第２挟持片２６ｂに所望の磁極を発生させた状態を図８と同様にして示した断面図である。
【００７７】
先ず、図８に示すように、第１固定リング２５及び第２挟持片２６ｂの内部に設けられたコイルに電流を供給しない場合には、第２挟持片２６ｂは、自重及びバネの付勢力によって筐体１２の天板１２ｃに接触し、第１挟持片２６ａとともに天板１２ｃを挟持している。
【００７８】
本実施例においては、第１固定リング２５及び第２挟持片２６ｂの内部に設けられたコイルの巻線方向が相違しているため、上述した状態から、第１固定リング２５及び第２挟持片２６ｂの内部に設けられたコイルに電流を供給すると、第１固定リング２５と第２挟持片２６ｂとは異なる磁極（例えば、第１固定リング２５がＳ極、第２挟持片２６ｂがＮ極）となる。上述したように、第１固定リング２５は第２支柱部２４に固定されているが、第２挟持片２６ｂは第２支柱部２４に対して移動自在に設けられているため、発生した磁力によって第１固定リング２５が第２支柱部２４に近づくように作用する。ここで、上述した付勢力及び第２挟持片２６ｂの自重の合成力よりも発生した磁力によって第１固定リング２５が２支柱部１４に近づく力が大きい場合には、図９に示すように、第２挟持片２６ｂが天板１２ｃから離間することになる。
【００７９】
以上のことから、本実施例においては、電磁石として機能する第１固定リング２５及び第２挟持片２６ｂによって、バネ２７による付勢を解除する付勢解除手段が形成されている。
【００８０】
なお、第２支柱部２４内には、第２配線３０のＹ方向に延びる部分が移動することができるような開口（図示せず）が設けられている。これによって第２挟持片２６ｂがＺ方向に移動する際に、第２配線３０が断線されることがなくなる。
【００８１】
第２挟持片２６ｂが天板１２ｃから離間することにより、第１挟持片２６ａ及び第２挟持片２６ｂによる挟持が解除される。上述したように、第１挟持片２６ａ及び天板１２ｃの界面における摩擦係数は、第２挟持片２６ｂ及び天板１２ｃの界面における摩擦係数よりも小さいことから、第１挟持片２６ａ及び天板１２ｃを互い摺動させることができる。ここで、支持体４はライティングダクト３に沿ってＸ方向には移動可能であるが、Ｙ方向に沿っては移動不可能であるため、筐体１２を第１挟持片２６ａとの接触面においてＹ方向に沿って摺動させることができる。なお、筐体１２を基準にすれば、第１挟持片２６ａが摺動溝である貫通孔１３（Ｙ方向）に沿って摺動しているといえる。
【００８２】
このように第１挟持片２６ａ及び天板１２ｃを互い摺動させることにより、筐体１２の位置をＹ方向において変化させることができる。また、支持体４がライティングダクト３に沿ってＸ方向に移動可能であることから、筐体１２をＹ方向に移動させつつ支持体４をライティングダクト３に沿ってＸ方向に移動させることにより、筐体１２をＸＹ面内において回転させることも可能になる。また、上述したように、貫通孔１３が延在する方向に対して直交する方向（Ｘ方向）において、筐体１２の支持面側における中央部から、貫通孔１３が延在する方向に対して直交する方向（Ｘ方向）に２８％の領域内に貫通孔１３を延設すれば、筐体１２のＸＹ面内における回動範囲を広げることが可能になる。
【００８３】
図１０は、１対のライティングダクト３に２つの照明本体５が支持体４を介して取り付けられている状態を示すＸＹ面における平面図である。このような場合には、それぞれを支持する支持体４の第１挟持片２６ａが貫通孔１３に沿って摺動するように、各照明本体５の筐体１２を独立してＹ方向に移動させることができる。従って、図１０に示すように、２つの照明本体５を＋Ｙ方向（図１０においてＹ方向の矢印が向く方向）と、−Ｙ方向（図１０においてＹ方向の矢印が向く方向とは逆方向）とに、移動させることができる。
【００８４】
このように、照明本体５ごとに独立してＹ方向に沿った移動を可能にすることにより、照明本体５及び照明装置１の取付位置の自由度が増大することになる。そして、複数の照明本体５を、自在に天井板等の取付板２に敷き詰めることが可能になる。
【００８５】
図１１は、１対のライティングダクト３に２つの照明本体５が支持体４を介して取り付けられている他の状態を示すＸＹ面における平面図である。図１１においては、図１０における照明本体５のＹ方向への独立した移動に加え、それぞれを支持する各支持体４のライティングダクト３におけるＸ方向への位置も移動させることにより、ＸＹ面内において照明本体５を異なる方向に回転させることができる。
【００８６】
このように、照明本体５ごとに独立してＸＹ面において自在に回転可能にすることにより、照明本体５及び照明装置１の取付方向の自由度が増大することになる。そして、複数の照明本体５の取付構成に、デザイン的な特徴を備えさせることが可能になる。
【００８７】
図１２は、１対のライティングダクト３に２つの照明本体５が支持体４を介して取り付けられている更に他の状態を示すＸＺ面における平面図である。図１２においては、各照明本体５を支持する支持体４の位置調整部２３の回動量及び回動方向を調整して、各照明本体５が天井板２に対して異なる角度で傾斜するように調整されている。
【００８８】
このように、各照明本体５を支持する支持体４の位置調整部２３の回動量及び回動方向を調整することにより、照明本体５及び照明装置１の取付角度の自由度が更に増大することになる。そして、複数の照明本体５の取付構成に、デザイン的な特徴を備えさせることが可能になる。
【００８９】
（各部の変形例）
上述した実施例に係る照明装置１の各部の構成は、一例に過ぎず、他の様々な構成を用いることができる。そこで、以下おいて、上述した実施例に係る照明装置１の各部の構成とは異なる構成について、適宜図面を参照しつつ説明する。
【００９０】
〔付勢手段〕
上述した実施例においては、第２挟持片２６ｂを第１挟持片２６ａに向かって付勢するためにバネ２７を用いているが、バネ２７に代えて、例えばネジ、永久磁石、又は電磁石などを用いてもよい。ネジを用いる場合には、例えば、第１固定リング２５を貫通して第２挟持片２６ｂに到達するようにネジを設け、該ネジを回すことによって第２挟持片２６ｂを第１挟持片２６ａに向かい押し付けて付勢することができる。また、永久磁石を用いる場合には、第１固定リング２５及び第２挟持片２６ｂの対向する面同士に同一の磁極が位置するように永久磁石を設置すればよい。更に、電磁石を用いる場合には、支持体４を貫通して第１固定リング２５に到達する配線を更に設け、該配線を第１固定リング２５の内部のコイルの他端側（上述した実施例において設置去れている端部）に接続して、該コイルに供給する電流の向きを変更できるようにすればよい。すなわち、第１固定リング２５の磁極を選択的に変更させ、付勢する場合には、第１固定リング２５及び第２挟持片２６ｂの互いに向き合った面における磁極を同一にすればよい。
【００９１】
また、上述した付勢手段を設けることなく、第２挟持片２６ｂの自重を利用して第２挟持片２６ｂを第１挟持片２６ａに向かって付勢してもよい。このような場合には、第２挟持片２６ｂの質量を大きくし、又は筐体１２の天板１２ｃと第２挟持片２６ｂとの界面における摩擦係数を大きくすることが好ましい。第１挟持片２６ａと第２挟持片２６ｂとにより、強固に筐体１２の天板１２ｃを挟持するためである。
【００９２】
〔付勢解除手段〕
上述した実施例においては、第２挟持片２６ｂを第１挟持片２６ａに向かった付勢を解除するために、第１固定リング２５及び第２挟持片２６ｂを電磁石として機能させていた。すなわち、第１固定リング２５及び第２挟持片２６ｂを付勢解除手段として用いていた。しかしながら、電磁石として機能する第１固定リング２５及び第２挟持片２６ｂに代えて、空気圧又は油圧を利用するシリンダ等を用いてもよい。また、ネジを用いて付勢する場合には、該ネジを逆に回転させることにより付勢を解除するようにしてもよい。かかる場合には、第２挟持片２６ｂの自重よりも大きい力を更に加え、第２挟持片２６ｂを筐体１２の天板１２ｃから離間させる必要がある。
【００９３】
また、上述したような構造を設けることなく、作業者が筐体１２を天井板２に向かって持ち上げることにより付勢を解除してもよい。このような場合には、第１挟持片２６ａが天板１２ｃから離間し、第２挟持片２６ｂのみが天板１２ｃに接触することになる。従って、かかる場合においては、第１挟持片２６ａと天板１２ｃとの界面における摩擦係数は、第２挟持片２６ｂと天板１２ｃとの界面における摩擦係数よりも大きいことが好ましい。具体的には、第１挟持片２６ａと天板１２ｃとの界面における摩擦係数は１．５以上であり、第２挟持片２６ｂと天板１２ｃとの界面における摩擦係数は０．７以下であることが特に好ましい。これにより、筐体１２及び第２挟持片２６ｂを互いに容易に摺動させ、筐体１２の位置を自在に変更することができる。
【００９４】
〔係止部〕
上述した実施例においては、鉛直下方に位置する（すなわち、天井板２に対して遠い位置に設けられた）第１挟持片２６ａによって筐体１２の天板１２ｃを支持していたが、天板１２ｃの形状に応じて、鉛直上方に位置する（すなわち、天井板２に対して近い位置に設けられた）第２挟持片２６ｂによって筐体１２の天板１２ｃを支持してもよい。すなわち、第１挟持片２６ａ及び第２挟持片２６ｂによる挟持が解除された状態において、鉛直上方に位置する第２挟持片２６ｂのみで筐体１２の天板１２ｃを支持するようにさせる。このような場合、係止部２６を貫通孔１３に沿って摺動させる場合には、鉛直上方に位置する第２挟持片２６ｂが貫通孔１３に沿って摺動することになる。ここで、第２挟持片２６ｂと天板１２ｃとの界面における摩擦係数は、第１挟持片２６ａと天板１２ｃとの界面における摩擦係数よりも小さいことが好ましい。具体的には、第２挟持片２６ｂと天板１２ｃとの界面における摩擦係数は０．７以下であり、第１挟持片２６ａと天板１２ｃとの界面における摩擦係数は１．５以上であることが特に好ましい。これにより、筐体１２及び第２挟持片２６ｂを互いに容易に摺動させ、筐体１２のＹ方向における位置を自在に変更することができる。
【００９５】
〔位置調整部〕
上述した実施例においては、第１支柱部２２及び第２支柱部２４が位置調整部２３に螺合していたが、位置調整部２３によって照明本体５をＺ方向に沿って移動させることができればよいため、第１支柱部２２又は第２支柱部２４のいずれかは、位置調整部２３に螺合されずに、ベアリング等の軸受け部材を介して位置調整部に連結されてもよい。ボールベアリングを介して第１支柱部２２が位置調整部に連結された状態の位置調整部の拡大断面図を図１３に示す。
【００９６】
図１３に示すように、位置調整部２３'の一端側にはボールベアリング３２が設けられている。そして、第１支柱部２２'はボールベアリング３２を介して位置調整部２３'に連結されている。また、第１支柱部２２'の端部には螺旋状の溝は形成されておらず、第１支柱部２２'の側面は平坦である。一方、第２支柱部２４は、上述した実施例と同様にその側面にねじ孔２３ａ'を有する位置調整部２３'に螺合している。
【００９７】
照明装置１の操作者が、Ｚ方向を回転軸として位置調整部２３'を回転させると、第２支柱部２４はＺ方向に移動することになる。一方、第１支柱部２２'はボールベアリング３２を介して相対的に回転するため、第１支柱部２２'はＺ方向に沿って移動することがない。このような場合においても、第２支柱部２２及び照明本体５がＺ方向に沿って移動するため、照明装置１及び照明本体５のＺ方向における位置を自在に変化させ、更には、上述した実施例と同様に照明本体５の傾きも調整することができる。
【００９８】
なお、図１３においては、ボールベアリング３２によって第１支柱部２２'を支持していたが、ボールベアリング３２によって第２支柱部２４を支持してもよい。
【００９９】
〔筐体〕
上述した実施例においては、ライティングダクト３及びプラグ２１によってＸ方向における照明装置１及び照明本体５の移動を実現していたが、ライティングダクト３を用いずに、Ｘ方向における照明装置１及び照明本体５の移動を行ってもよい。例えば、照明本体５の筐体１２の天板１２ｃ'に、Ｘ方向に沿って延び、天板を貫通する貫通孔４１を更に設けることにより、該Ｘ方向に延びる貫通孔４１に沿って照明本体を移動させてもよい。このような筐体の変形例を図７と同様にした断面図を図１４に示し、図１４を参照しつつ該筐体の変形例を説明する。
【０１００】
図１４に示すように、筐体１２'の天板１２ｃ'には、Ｘ方向に沿って延びるとともに、天板１２ｃ'を貫通する４つの貫通孔１３'が設けられている。また、貫通孔１３'と直交するようにＹ方向に沿って延びるとともに、天板１２ｃ'を貫通する４つの貫通孔（交差溝）４１が設けられている。更に、貫通孔１３'及び貫通孔４１に沿って移動することができるように、第２支柱部２４が設けられている。そして、上述した実施例と同様に、第２支柱部２４に環装された第１挟持片２６ａ及び第２挟持片２６ｂが天板１２ｃ'を挟持するように設けられている。
【０１０１】
このように、Ｙ方向のみならず、Ｘ方向にも沿って貫通孔４１を設けることにより、第１挟持片２６ａ及び第２挟持片２６ｂによる挟持を解除した際に、第１挟持片２６ａが貫通孔４１を摺動するように、筐体１２'をＸ方向に沿って移動させることが可能になる。なお、貫通孔の数量は上述した数量に限定されることなく、筐体１２'の移動範囲に応じて適宜増減することができる。
【０１０２】
（本実施における効果）
上述した構成を有することにより、本実施例である照明装置１及び照明装置取付構造においては、面発光体である有機ＥＬ発光体１１を備えるとともに、照明装置を天井板２等の取付板に容易に取り付けることができ、且つ取付位置及び取付方向を容易に変更することができる。
【０１０３】
本実施例である照明装置１が、有機ＥＬ発光体１１の発光面に交差する方向において、天井板２に対する有機ＥＬ発光体１１の位置を調整する位置調整部２３を更に有するため、有機ＥＬ発光体１１から天井板２までの距離を容易に変えることができる。
【０１０４】
本実施例である照明装置１が、天井板２に備えられるとともに、支柱部４を移動自在に支持する支持レールであるライティングダクト３を備えるため、照明装置１の位置を天井板２の一方向であるライティングダクト３の延設方向に沿って容易に変えることができる。
【０１０５】
本実施例である照明装置１の筐体１２が摺動溝である貫通孔１３の延設面と同一面において貫通孔１３と交差して延設された少なくとも１つの貫通孔４１を備え、係止部２６が貫通孔４１に沿って摺動可能であるため、照明装置１の位置を天井板２の取付面内において自在に変えることができる。
【０１０６】
本実施例である照明装置１を構成する支柱部４が有機ＥＬ発光体１１に電力を供給するための第１供給路である第１配線２９を有するため、有機ＥＬ発光体１１に電力を供給するための構造を別途設ける必要がなくなるとともに、第１供給路を構成する配線が目視されることがなくなり、照明装置１の小型化及びデザイン性の向上を図ることができる。
【０１０７】
本実施例である照明装置１を構成する支持レールがライティングダクト３であるため、有機ＥＬ発光体１１に電力を供給するための構造を別途設ける必要がなくなるとともに、第１供給路を構成する配線が目視されることがなくなり、照明装置の小型化及びデザイン性の向上を図ることができる。
【０１０８】
本実施例である照明装置１を構成する係止部２６が一対の挟持片から構成され、筐体１２を支持する第１挟持片２６ａと筐体１２との界面における摩擦係数が、係止部２６の他方の第２挟持片２６ｂと筐体１２との界面における摩擦係数よりも小さいため、第１挟持片２６ａ及び第２挟持片２６ｂによる筐体１２の担持を解除した後に、第１挟持片２６ａを摺動溝に沿って容易に摺動させることができる。すなわち、このような構成により、筐体１２の移動を容易に行うことができる。
【０１０９】
本実施例である照明装置１を構成する係止部２６が一対の挟持片から構成され、支持体４が一対の挟持片の一方を他方の挟持片に向かって付勢する付勢手段として機能するバネ２７含むため、一対の挟持片による筐体１２の挟持をより強固に行うことができる。
【０１１０】
また、本実施例である照明装置１の支持体４が付勢力を解除する付勢解除手段として機能する電磁石（第１固定リング２５及び第２挟持片２６ｂ）を含むことにより、一対の挟持片による筐体１２の挟持を容易に解除することができ、更には筐体１２の移動を容易に行えることになる。
【０１１１】
本実施例である照明装置１を構成する係止部２６が一対の挟持片から構成され、摺動溝である貫通孔１３は、筐体１２の支持面側における中央部から、貫通孔１３が延在する方向に対して直交する方向に２８％の領域内に延設されることにより、天井板２に沿った面において筐体１２を容易に回転させることができる。
【符号の説明】
【０１１２】
１                照明装置
２                天井板（取付板）
３                ライティングダクト（支持レール）
４                支持体
５                照明本体
１１                有機ＥＬ発光体（面発光体）
１２、１２'        筐体
１２ａ              ガラス板
１２ｂ              側板
１２ｃ、１２ｃ'    天板
１３、１３'        貫通孔（摺動溝）
２１                プラグ
２２、２２'        第１支柱部
２２ａ、２２ａ'    貫通孔
２３、２３'        位置調整部
２３ａ、２３ａ'    ねじ孔
２４                第２支柱部
２４ａ              貫通孔
２５                第１固定リング
２６                係止部
２６ａ              第１挟持片
２６ｂ              第２挟持片
２７                付勢手段（バネ）
２８                第２固定リング
２９                第１配線
３０                第２配線
３１                第３配線
３２                ボールベアリング
４１                交差孔（貫通孔）
【図１】
0005930163.tif 000002
【図２】
0005930163.tif 000003
【図３】
0005930163.tif 000004
【図４】
0005930163.tif 000005
【図５】
0005930163.tif 000006
【図６】
0005930163.tif 000007
【図７】
0005930163.tif 000008
【図８】
0005930163.tif 000009
【図９】
0005930163.tif 000010
【図１０】
0005930163.tif 000011
【図１１】
0005930163.tif 000012
【図１２】
0005930163.tif 000013
【図１３】
0005930163.tif 000014
【図１４】
0005930163.tif 000015